(57)【要約】      （修正有）【課題】スロットイン型の光ディスク装置の搬送ローラにより光ディスクを搬送しているとき、光ディスクの記録面に汚れや傷が付くことを防止するために、搬送ローラに付着したごみ等を取り除く搬送ローラ清掃部材を提供する。【解決手段】光ディスクを搬送する搬送ローラを清掃する搬送ローラ清掃部材１において、筐体と当接する長方形状の当接部４と、当接部が筐体に当接したとき搬送ローラと対向し搬送ローラを清掃する清掃機構部３と、清掃機構部を搬送ローラに沿って移動させる操作をする操作機構部５と、操作機構部の操作量を清掃機構部に伝達する伝達機構部６とを備える。【選択図】  図１
2008059682.tif 000002
【特許請求の範囲】
【請求項１】
光ディスクに信号を記録し又は光ディスクに記録された信号を再生する光ディスク装置の筐体に設けられた挿入口から挿入された光ディスクを当該光ディスク装置の記録部又は再生部に搬送する搬送ローラを清掃する搬送ローラ清掃部材において、
半円形状の円盤部と、
前記挿入口から予め定められた位置まで前記円盤部が挿入されると前記筐体に当接する当接部と、
前記当接部が前記筐体に当接したとき前記搬送ローラと対向し前記搬送ローラを清掃する清掃機構部と、
前記清掃機構部を前記搬送ローラに沿って移動させる操作をする操作機構部と、
前記操作機構部の操作量を前記清掃機構部に伝達する伝達機構部とを備えることを特徴とする搬送ローラ清掃部材。
【請求項２】
請求項１に記載の搬送ローラ清掃部材において、
前記清掃機構部は、
前記搬送ローラを清掃する清掃部を有し、前記搬送ローラに沿って移動するように前記円盤部に備えられていることを特徴とする搬送ローラ清掃部材。
【請求項３】
請求項１又は請求項２に記載の搬送ローラ清掃部材において、
前記操作機構部は、
前記当接部に摺動するように備えられていることを特徴とする搬送ローラ清掃部材。
【請求項４】
請求項１乃至請求項３の何れか１項に記載の搬送ローラ清掃部材において、
前記伝達機構部は、
複数の歯車を介して前記操作機構部による操作量を前記清掃機構部に伝達することを特徴とする搬送ローラ清掃部材。
【発明の詳細な説明】
【技術分野】
【０００１】
本発明は、挿入口から挿入された光ディスクを搬送ローラにより記録再生部に搬送する搬送機構を備えた光ディスク装置の搬送ローラを清掃する搬送ローラ清掃部材に関する。
【背景技術】
【０００２】
光ディスクに情報を記録し、または、光ディスクに記録された情報を再生する光ディスク装置には、筐体に光ディスクを挿入するための挿入口が設けられたスロットイン型の光ディスク装置がある。スロットイン型の光ディスク装置は、挿入口から挿入された光ディスクを一対の搬送ローラにより挟持し、搬送ローラを回転させることにより、記録再生部に備えられた光ディスクを載置するターンテーブルまで搬送する搬送機構を備えている。また、光ディスクを排出させる指示に応じて、ターンテーブルに載置された光ディスクを挿入口へ搬送する（例えば、特許文献１参照。）。
【０００３】
【特許文献１】特開２００１−３１２８５０号公報
【発明の開示】
【発明が解決しようとする課題】
【０００４】
スロットイン型の光ディスク装置では、搬送ローラの表面にごみ等が付着していると、一対の搬送ローラによる挟持力により、光ディスクの情報が記録された記録面を汚したり、傷つけたりする場合がある。光ディスクの記録面に汚れや傷があると、光ピックアップから照射されたレーザ光がこれらの汚れや傷により散乱してしまうため、光ディスク装置は、光ディスクへの情報の記録又は再生ができなくなる虞がある。
【０００５】
本発明は、上記の課題を解決するためになされたものであり、スロットイン型の光ディスク装置の搬送ローラにより光ディスクを搬送しているとき、光ディスクの記録面に汚れや傷が付くことを防止するために、搬送ローラに付着したごみ等を取り除く搬送ローラ清掃部材を提供することを目的とする。
【課題を解決するための手段】
【０００６】
上記の課題を解決するために、本願の請求項１記載の発明は、光ディスクに信号を記録し又は光ディスクに記録された信号を再生する光ディスク装置の筐体に設けられた挿入口から挿入された光ディスクを当該光ディスク装置の記録部又は再生部に搬送する搬送ローラを清掃する搬送ローラ清掃部材において、半円形状の円盤部と、前記挿入口から予め定められた位置まで前記円盤部が挿入されると前記筐体に当接する長方形状の当接部と、前記当接部が前記筐体に当接したとき前記搬送ローラと対向し前記搬送ローラを清掃する清掃機構部と、前記清掃機構部を前記搬送ローラに沿って移動させる操作をする操作機構部と、前記操作機構部の操作量を前記清掃機構部に伝達する伝達機構部とを備えることを特徴とする。
【０００７】
また、本願の請求項２記載の発明は、請求項１に記載の搬送ローラ清掃部材において、前記清掃機構部は、前記搬送ローラを清掃する清掃部を有し、前記搬送ローラに沿って移動するように前記円盤部に備えられていることを特徴とする。
【０００８】
また、本願の請求項３記載の発明は、請求項１又は請求項２に記載の搬送ローラ清掃部材において、前記操作機構部は、前記当接部に摺動するように備えられていることを特徴とする。
【０００９】
また、本願の請求項４記載の発明は、請求項１乃至請求項３の何れか１項に記載の搬送ローラ清掃部材において、前記伝達機構部は、複数の歯車を介して前記操作機構部による操作量を前記清掃機構部に伝達することを特徴とする。
【発明の効果】
【００１０】
本発明の搬送ローラ清掃部材によれば、スロットイン型の光ディスク装置の搬送ローラにより光ディスクを搬送しているとき、光ディスクの記録面に汚れや傷が付くことを防止するために、搬送ローラに付着したごみ等を取り除く搬送ローラ清掃部材を提供することができる。
【発明を実施するための最良の形態】
【００１１】
以下、本発明の実施の形態を図面に基づいて説明する。
図１は、本発明の一実施例である搬送ローラ清掃部材の平面図である。図１において、１は搬送ローラ清掃部材、２は円盤部、３は清掃機構部、４は当接部、５は操作機構部、６は伝達機構部、２１は保持部、３１は清掃部、３２は案内溝、３３はギア部、４１は保持部、５１は操作部、５２は操作レバー、５３はギア部、６１は第１歯車、６２は第２歯車、６３は第３歯車を示す。
【００１２】
図２は、本発明の一実施例である搬送ローラ清掃部材の断面図である。図２（ａ）は、搬送ローラ清掃部材１の断面面を示す図であり、図２（ｂ）は、図２（ａ）の点線円内の部分を拡大した図である。図２において、７ａ，７ｂ，７ｃ，７ｄは軸、８はカットワッシャーを示す。
【００１３】
図１に示す本実施例の搬送ローラ清掃部材１は、円盤部２、清掃機構部３、当接部４、操作機構部５、伝達機構部６を備える。円盤部２は、ＣＤと同様に半径が約６０ｍｍ、厚さが約１．２ｍｍの半円形状である。円盤部２には、清掃機構部３を保持する保持部２１が設けられている。
【００１４】
保持部２１により円盤部２に保持された清掃機構部３は、清掃部３１、案内溝３２、ギア部３３を備える。清掃部３１は、ナイロンやポリエステル等の材質から成り、クリーニング液を塗布することができる。図１に示すように、清掃部３１は、清掃機構部３の両端に設けられている。案内溝３２は、清掃機構部３の長手方向に形成されている。
【００１５】
図２に示すように、案内溝３２は円盤部２にインサート成形された軸７ｄに挿入され、軸７ｄが案内溝３２から外れないように、かつ、清掃機構部３が案内溝３２に沿って移動できるように、軸７ｄにカットワッシャー８が取り付けられている。このため、清掃機構部３は、円盤部２上を案内溝３２に沿って移動させることができる。ギア部３３は、第３歯車６３と歯合するように清掃機構部３の長手方向の一方の側面に形成されている。円盤部２の材質は、スロットイン型の光ディスク装置に備えられた搬送ローラを傷つけないようするために、ＣＤと同様のポリカーボネイト等のプラスチック材料とする。
【００１６】
当接部４は、円盤部２と同様に厚さが約１．２ｍｍの長方形状であり、当接部４の横幅は、光ディスク装置の筐体に設けられた挿入口の横幅より長くなっている。当接部４には、操作機構部５を保持する１組の保持部４１が設けられている。操作機構部５は、操作部５１、操作レバー５２、ギア部５３を備える。操作部５１は、操作レバー５２を備え、第１歯車６１と歯合するギア部５３が操作部５１の長手方向の一方の側面に形成されている。操作機構部５は、操作部５１が１組の保持部４１により当接部４に保持され、当接部上を摺動することができる。
【００１７】
伝達機構部６は、第１歯車６１、第２歯車６２、第３歯車６３を備える。図２に示すように、第１歯車６１は、円盤部２にインサート成形された軸７ａに挿入され、軸７ａから外れないように、軸７ａにカットワッシャー８が取り付けられている。第１歯車６１は、操作部５１に形成されたギア部５３と歯合するとともに、第２歯車６２と歯合する。第２歯車６２は、円盤部２にインサート成形された軸７ｂに挿入され、軸７ｂから外れないように、軸７ｂにカットワッシャー８が取り付けられている。第２歯車６２は、第１歯車６１および第３歯車６３と歯合する。第３歯車６３は、円盤部２にインサート成形された軸７ｃに挿入され、軸７ｃから外れないように、軸７ｃにカットワッシャー８が取り付けられている。第３歯車６３は、第２歯車６２と歯合するとともに、清掃機構部３に形成されたギア部３３と歯合する。
【００１８】
本実施例の搬送ローラ清掃部材１において、ユーザが操作レバー５２を持って操作部５１を図２に示すＡ方向に移動させる操作をすると、第１歯車６１、第２歯車６２および第３歯車６３を介して、操作部５１の操作量が清掃機構部３に伝達される。清掃機構部３は、伝達機構部６を介して操作部５１の操作量が伝達されると、図２に示すＢ方向に操作部５１の操作量に応じて移動する。操作部５１をＡ方向に移動させる操作をした後、Ｂ方向に移動させる操作をすると、清掃機構部３は、操作部５１のＢ方向への操作量に応じてＡ方向に移動する。このように、操作部５１を移動させる操作をすると、清掃機構部３は、操作部５１の操作量および操作方向に応じて移動する。
【００１９】
図３は、スロットイン型の光ディスク装置の構成を示すブロック図である。図３に示す光ディスク装置は、ＣＤ等の光ディスクに記録された情報を再生する光ディスク装置である。図３において、１０は光ディスク装置、１１は搬送部、１２は再生部、１３は制御部、１４は操作部を示す。
【００２０】
搬送部１１は、光ディスク装置１０の筐体に設けられた挿入口から光ディスクが挿入されると、挿入された光ディスクを再生部１２へ搬送する。再生部１２は、図示しないターンテーブル、スピンドルモータ、光ピックアップ、再生アンプ、信号処理部、ＤＡＣ（Digital to Analog Converter）、出力端子を備える。スピンドルモータに固定されたターンテーブルは、光ディスクを載置する。操作部１４から再生開始の指示があると、スピンドルモータは、所定の線速度で回転駆動する。また、サーボ制御部は、光ピックアップからのレーザ光を光ディスクのピット列を正しくトレースする制御をする。
【００２１】
光ピックアップが読み取ったデジタルオーディオ信号は、再生アンプにより波形整形及び増幅され信号処理部に入力される。信号処理部は、デジタルオーディオ信号の復調、フォーカスエラー信号やトラッキングエラー信号等のエラー信号、同期信号の抜き出し等をしてデジタルオーディオ信号をＤＡＣに入力する。ＤＡＣは、デジタルオーディオ信号をアナログオーディオ信号に変換する。ＤＡＣにより変換されたアナログオーディオ信号は、出力端子から出力される。制御部１３は、光ディスク装置１０全体の動作を統括的に制御する。操作部１４は、再生ボタン、再生停止ボタン、イジェクトボタン、現在再生しているトラックの再生時間、トラックナンバー等を表示する表示部を備えている。
【００２２】
図４は、光ディスク装置１０が備える搬送部１１の側断面図である。図４において、１５は光ディスク装置１０の筐体、１６は挿入口、１７はディスク検出部、１８ａ，１８ｂは搬送ローラを示す。搬送ローラ１８ａは、再生部１２に備えられた光ピックアップと共に筐体１５の下面に設けられている。
【００２３】
図４に示すディスク検出部１７は、例えば、透過型の光センサであり、光センサから照射された光を図示しない受光部が受光するか否かにより、挿入口１６から挿入された光ディスク又は本実施例の搬送ローラ清掃部材１の有無を検出する。ディスク検出部１７は、光ディスク又は搬送ローラ清掃部材１を検出すると、ディスク検出信号を制御部１３へ出力する。制御部１３は、ディスク検出部１７からディスク検出信号が入力されると、光ディスク又は搬送ローラ清掃部材１を再生部１２へ搬送するように搬送ローラ１８を回転駆動させる制御をする。
【００２４】
搬送ローラ１８ａ，１８ｂは、上下一対のローラにより光ディスク又は搬送ローラ清掃部材１を挟持しながら、光ディスク又は搬送ローラ清掃部材１を再生部１２へ搬送する。挿入口１６は、光ディスク装置１０の筐体１５の正面に設けられ、光ディスク又は搬送ローラ清掃部材１を挿入及び排出する。また、搬送部１１は、挿入された光ディスクを再生部１２までガイドするガイド部（図示せず）等を備える。
【００２５】
ユーザが光ディスクを挿入口１６に挿入すると、制御部１３にディスク検出信号が入力され、挿入された光ディスクは、搬送ローラ１８ａと搬送ローラ１８ｂにより挟持されながら再生部１２のターンテーブルへ搬送される。光ディスクがターンテーブルへ搬送されると、制御部１３は、搬送ローラ１８の回転を停止する制御をする。また、操作部１４のイジェクトボタンが押下されると、制御部１３は、再生部１２のターンテーブルに載置された光ディスクを挿入口１６へ搬送するために、ディスク挿入時とは反対方向に搬送ローラ１８ａ，１８ｂを回転駆動させる制御をする。
【００２６】
図５は、挿入口１６に挿入した搬送ローラ清掃部材１と搬送ローラ１８ｂを示す図である。図６は、挿入口１６に挿入した搬送ローラ清掃部材１の断面面を示す図である。
【００２７】
搬送ローラ１８ａを清掃する場合、清掃機構部３が備えられた面を下にして、搬送ローラ清掃部材１を円盤部２から挿入口１６に挿入する。挿入口１６から搬送ローラ清掃部材１が挿入されると、ディスク検出部１７から制御部１３にディスク検出信号が入力され、挿入された搬送ローラ清掃部材１は、円盤部２が搬送ローラ１８ａと搬送ローラ１８ｂにより挟持され再生部１２へ搬送される。ここで、搬送ローラ１８ａ，１８ｂが回転駆動し搬送ローラ清掃部材１が筐体１５の内部へ搬送されると、当接部４の横幅が挿入口１６の横幅より長いため、当接部４が筐体１５に当接する。図５に示すように、搬送ローラ清掃部材１は、当接部４が筐体１５に当接した位置で筐体１５内部へ移動しなくなる。
【００２８】
図６に示すように、本実施例の搬送ローラ清掃部材１は、当接部４と筐体１５が当接すると、清掃部３１が搬送ローラ１８ａと対向し接触する。清掃部３１が搬送ローラ１８ａと接触した状態において、搬送ローラ１８ａは、回転駆動しているため、清掃部３１上でスリップしながら回転し続ける。このとき、ユーザは、操作レバー５２を持って操作部５１を図５に示すＡ方向，Ｂ方向に移動させる操作を繰り返し行うことにより、操作部５１の操作量が伝達機構部６を介して清掃機構部３に伝達される。そして、清掃部３１は、操作部５１の操作量および操作方向に応じて搬送ローラ１８ａに沿って移動する。したがって、清掃部３１は、回転している搬送ローラ１８ａと接触しながら、搬送ローラ１８ａに沿って移動するため、搬送ローラ１８ａに付着したごみ等を取り除くことができる。
【００２９】
ここで、制御部１３は、予め定められた時間経過しても挿入された光ディスクが再生部１２へ搬送されない場合、搬送ローラ１８ａ，１８ｂの回転駆動を停止させる制御、又は、光ディスクを排出するように搬送ローラ１８ａ，１８ｂを回転駆動させる制御をする。このため、ユーザは、筐体１５の内部から搬送ローラ清掃部材１を取り出すことができる。また、搬送ローラ１８ｂを清掃する場合、清掃機構部３が備えられた面を上にして、搬送ローラ清掃部材１を円盤部２から挿入口１６に挿入することにより、搬送ローラ１８ｂを清掃することができる。
【００３０】
上述した搬送ローラ清掃部材１は、当接部４と筐体１５が当接したとき、搬送ローラ１８と対向する位置に清掃部３１が配置され、清掃部３１が搬送ローラ１８ａ，１８ｂよりさらに筐体１５の内部に挿入されることがない。このため、搬送ローラ清掃部材１が挿入されても、清掃部３１に塗布したクリーニング液が再生部１２の光ピックアップ等の再生機構部に付着することがなく、再生機構部のレンズにクリーニング液が付着して再生機構部を破損することを防止することができる。
【００３１】
スロットイン型の光ディスク装置において、ユーザは、定期的に本実施例の搬送ローラ清掃部材を挿入口から挿入することにより、搬送ローラに付着したごみ等を取り除くことができ、光ディスクの記録面に汚れや傷が付着することを防止することができる。このため、ユーザは、筐体内部から搬送ローラを取り出すような作業を行なわなくても、容易に搬送ローラを清掃することができる。
【図面の簡単な説明】
【００３２】
【図１】本実施例の搬送ローラ清掃部材の平面図。
【図２】本発明の一実施例である搬送ローラ清掃部材の断面図。
【図３】光ディスク装置の構成を示すブロック図。
【図４】光ディスク装置が備える搬送部の側断面図。
【図５】挿入口に挿入した搬送ローラ清掃部材と搬送ローラを示す図。
【図６】挿入口に挿入した搬送ローラ清掃部材の断面面を示す図。
【符号の説明】
【００３３】
１…搬送ローラ清掃部材、２…円盤部、３…清掃機構部、４…当接部、５…操作機構部、６…伝達機構部、７ａ，７ｂ，７ｃ…軸、８…カットワッシャー、１０…光ディスク装置、１１…搬送部、１２…再生部、１３…制御部、１４…操作部、１５…筐体、１６…挿入口、１７…ディスク検出部、１８ａ，１８ｂ…搬送ローラ、２１…保持部、３１…清掃部、３２…案内溝、３３…ギア部、４１…保持部、５１…操作部、５２…操作レバー、５３…ギア部、６１…第１歯車、６２…第２歯車、６３…第３歯車
【図１】
2008059682.tif 000003
【図２】
2008059682.tif 000004
【図３】
2008059682.tif 000005
【図４】
2008059682.tif 000006
【図５】
2008059682.tif 000007
【図６】
2008059682.tif 000008